【手続補正書】
【提出日】平成20年7月23日(2008.7.23)
【手続補正１】
【補正対象書類名】明細書
【補正対象項目名】特許請求の範囲
【補正方法】変更
【補正の内容】
【特許請求の範囲】
【請求項１】
両端開放伝送線路により構成される共振回路と、
バイポーラトランジスタのベース端子及びコレクタ端子に先端開放スタブを接続し、エミッタ端子に先端接地スタブを接続して構成した互いに同一な第１及び第２の発振器と、
前記先端開放スタブに接続され前記バイポーラトランジスタを動作させるバイアス回路を具備し、
前記第１の発振器のベース側スタブを前記共振回路の一方の開放端部分と分布結合させ、前記第２の発振器のベース側スタブを前記共振器の他方の開放端部分と分布結合させ、
前記第１の発振器に含まれる第１のエミッタ側スタブに第１の出力用結合容量が接続され、前記第２の発振器に含まれる第２のエミッタ側スタブに第２の出力用結合容量が接続され、
前記第１及び第２の出力用結合容量を介して発振信号が出力されることを特徴とするプッシュプッシュ発振器。
【請求項２】
前記第１の発振器に含まれる第１のエミッタ側スタブと、前記第２の発振器に含まれる第２のエミッタ側スタブは、接地点を共有することを特徴とする請求項１に記載のプッシュプッシュ発振器。
【請求項３】
前記第１の出力用結合容量に接続された第１の出力側伝送線路と、
前記第２の出力用結合容量に接続され、前記第１の出力側伝送線路と同じ長さを有する第２の出力側伝送線路をさらに具備し、
前記第１及び第２の出力用結合容量は、同じ容量値を有するとともに、前記第１のエミッタ側スタブと前記第２エミッタ側スタブの接地端から等距離となる位置に各々が接続され、
前記第１の出力側伝送線路と前記第２の出力側伝送線路は、前記第１又は第２の出力用結合容量との接続端とは異なる端において接続され、接続された箇所より前記発振信号を取り出すことを特徴とする請求項１又は２記載のプッシュプッシュ発振器。
【請求項４】
全体として対称形をなすように構成されたことを特徴とする請求項１乃至３いずれか一項に記載のプッシュプッシュ発振器。
【請求項５】
基本発振周波数におけるコレクタ側とエミッタ側のスタブの電気長を９０度以下とし、共振回路がベース側スタブに分布結合する箇所からバイポーラトランジスタのベース端子までの電気長を９０度以下として構成したことを特徴とする請求項１乃至４いずれか一項に記載のプッシュプッシュ発振器。
【請求項６】
両端開放伝送線路により構成される共振回路と、
バイポーラトランジスタのベース端子及びコレクタ端子に先端開放スタブを接続し、エミッタ端子に先端接地スタブを接続して構成した互いに同一な第１及び第２の発振器と、
前記先端開放スタブに接続され前記バイポーラトランジスタを動作させるバイアス回路
を具備し、
前記第１の発振器のコレクタ側スタブを前記共振回路の一方の開放端部分と分布結合させ、前記第２の発振器のコレクタ側スタブを前記共振器の他方の開放端部分と分布結合させ、
前記第１の発振器に含まれる第１のエミッタ側スタブに第１の出力用結合容量が接続され、前記第２の発振器に含まれる第２のエミッタ側スタブに第２の出力用結合容量が接続され、
前記第１及び第２の出力用結合容量を介して発振信号が出力されることを特徴とするプッシュプッシュ発振器。
【請求項７】
前記第１の発振器に含まれる第１のエミッタ側スタブと、前記第２の発振器に含まれる第２のエミッタ側スタブは、接地点を共有することを特徴とする請求項６に記載のプッシュプッシュ発振器。
【請求項８】
全体として対称形をなすように構成されたことを特徴とする請求項６又は７記載のプッシュプッシュ発振器。
【請求項９】
基本発振周波数におけるベース側とエミッタ側のスタブの電気長を９０度以下とし、共振回路がコレクタ側スタブに分布結合する箇所からバイポーラトランジスタのコレクタ端子までの電気長を９０度以下として構成したことを特徴とする請求項６乃至８いずれか一項に記載のプッシュプッシュ発振器。
【請求項１０】
バラクタダイオードの両端に同じ値を有する容量を接続して構成した可変容量部と、前記バラクタダイオードの両端に接続され両端子間の電圧を変化させるバラクタバイアス回路を具備し、前記可変容量部を第１と第２の発振器を構成するスタブ上の同じ位置間に接続したことを特徴とする請求項１乃至９いずれか一項に記載のプッシュプッシュ発振器。
【請求項１１】
出力用結合容量をエミッタ側スタブに分布結合する線路に置き換えた請求項６乃至９いずれか一項に記載のプッシュプッシュ発振器。
【請求項１２】
バイポーラトランジスタを電界効果トランジスタに、ベースをゲートに、コレクタをドレインに、エミッタをソースにそれぞれ置き換えた請求項１乃至１１いずれか一項に記載のプッシュプッシュ発振器。
【請求項１３】
トリプレート構造を有した多層基板を具備し、バイポーラトランジスタを前記多層基板の表層に実装し、スタブ及び共振回路を前記トリプレート構造内に実装したことを特徴とする請求項１乃至１２いずれか一項に記載のプッシュプッシュ発振器。
【請求項１４】
マイクロ波モノリシック集積回路上に形成した請求項１乃至１１いずれか一項に記載のプッシュプッシュ発振器。
【手続補正２】
【補正対象書類名】明細書
【補正対象項目名】０００６
【補正方法】変更
【補正の内容】
【０００６】
【発明の実施の形態】
本発明のプッシュプッシュ発振器は、両端開放伝送線路により構成される共振回路と、バイポーラトランジスタのベース端子及びコレクタ端子に先端開放スタブを接続し、エミッタ端子に先端接地スタブを接続して構成した互いに同一な第１及び第２の発振器と、前記先端開放スタブに接続され前記バイポーラトランジスタを動作させるバイアス回路を具備し、前記第１の発振器のベース側スタブを前記共振回路の一方の開放端部分と分布結合させ、前記第２の発振器のベース側スタブを前記共振器の他方の開放端部分と分布結合させ、前記第１の発振器に含まれる第１のエミッタ側スタブに第１の出力用結合容量が接続され、前記第２の発振器に含まれる第２のエミッタ側スタブに第２の出力用結合容量が接続され、前記第１及び第２の出力用結合容量を介して発振信号が出力されるという構成をとる。この構成により、スタブにより容量やインダクタといったリアクタンス素子を実現しているためチップ部品を用いる必要が無く、マイクロ波帯においても安定な発振器が容易に構成できる。また、両端開放伝送線路は半波長線路共振器として作用し、電圧最大で逆相となる両開放端に２つの発振器を分布結合させているため、前記２つの発振器は逆相励振し、全体がプッシュプッシュ発振器として動作する。
【手続補正３】
【補正対象書類名】明細書
【補正対象項目名】０００７
【補正方法】変更
【補正の内容】
【０００７】
上記プッシュプッシュ発振器では、前記第１の発振器に含まれる第１のエミッタ側スタブと、前記第２の発振器に含まれる第２のエミッタ側スタブは、接地点を共有するという構成をとる。この構成により、プッシュプッシュ発信器のレイアウトの対象性が確保され、基本波抑圧効果を高める作用を有する。
【手続補正４】
【補正対象書類名】明細書
【補正対象項目名】０００８
【補正方法】変更
【補正の内容】
【０００８】
上記プッシュプッシュ発信器では、前記第１の出力用結合容量に接続された第１の出力側伝送線路と、前記第２の出力用結合容量に接続され、前記第１の出力側伝送線路と同じ長さを有する第２の出力側伝送線路をさらに具備し、前記第１及び第２の出力用結合容量は、同じ容量値を有するとともに、前記第１のエミッタ側スタブと前記第２エミッタ側スタブの接地端から等距離となる位置に各々が接続され、前記第１の出力側伝送線路と前記第２の出力側伝送線路は、前記第１又は第２の出力用結合容量との接続端とは異なる端において接続され、接続された箇所より前記発振信号を取り出すという構成をとる。この構成により、本発明のプッシュプッシュ発振器から基本波が抑圧され２倍高調波が増強された発振信号を取り出すことができる。また、この構成により、電界の比較的弱いエミッタ側スタブに容量結合する構成により疎結合が得やすいことから、発振器自体に影響を与えずに出力が取り出せるという作用がある。
また、上記プッシュプッシュ発振器は、全体として対称形をなすように構成されている。
【手続補正５】
【補正対象書類名】明細書
【補正対象項目名】０００９
【補正方法】変更
【補正の内容】
【０００９】
上記プッシュプッシュ発振器は、基本発振周波数におけるコレクタ側とエミッタ側のスタブの電気長を９０度以下とし、共振回路がベース側スタブに分布結合する箇所からバイポーラトランジスタのベース端子までの電気長を９０度以下という構成をとる。この構成により、バイポーラトランジスタのベース側及びコレクタ側が容量性、エミッタ側が誘導性となり、発振条件を満足しかつ小型にプッシュプッシュ発振器を構成できる作用を有する。
【手続補正６】
【補正対象書類名】明細書
【補正対象項目名】００１０
【補正方法】変更
【補正の内容】
【００１０】
また、本発明のプッシュプッシュ発振器は、両端開放伝送線路により構成される共振回路と、バイポーラトランジスタのベース端子及びコレクタ端子に先端開放スタブを接続し、エミッタ端子に先端接地スタブを接続して構成した互いに同一な第１及び第２の発振器と、前記先端開放スタブに接続され前記バイポーラトランジスタを動作させるバイアス回路を具備し、前記第１の発振器のコレクタ側スタブを前記共振回路の一方の開放端部分と分布結合させ、前記第２の発振器のコレクタ側スタブを前記共振器の他方の開放端部分と分布結合させ、前記第１の発振器に含まれる第１のエミッタ側スタブに第１の出力用結合容量が接続され、前記第２の発振器に含まれる第２のエミッタ側スタブに第２の出力用結合容量が接続され、前記第１及び第２の出力用結合容量を介して発振信号が出力されるという構成をとる。この構成により、コレクタ側に共振器を結合させた構成でも、スタブにより容量やインダクタといったリアクタンス素子を実現しているためチップ部品を用いる必要が無く、マイクロ波帯においても安定な発振器が容易に構成できる。また、両端開放伝送線路は半波長線路共振器として作用し、電圧最大で逆相となる両開放端に２つの発振器を分布結合させているため、前記２つの発振器は逆相励振し、全体がプッシュプッシュ発振器として動作する。
【手続補正７】
【補正対象書類名】明細書
【補正対象項目名】００１１
【補正方法】変更
【補正の内容】
【００１１】
上記プッシュプッシュ発振器では、前記第１の発振器に含まれる第１のエミッタ側スタブと、前記第２の発振器に含まれる第２のエミッタ側スタブは、接地点を共有するという構成をとる。この構成により、プッシュプッシュ発信器のレイアウトの対象性が確保され、基本波抑圧効果を高める作用を有する。
また、上記プッシュプッシュ発振器は、全体として対称形をなすように構成されている。
【手続補正８】
【補正対象書類名】明細書
【補正対象項目名】００１２
【補正方法】変更
【補正の内容】
【００１２】
上記プッシュプッシュ発振器は、基本発振周波数におけるベース側とエミッタ側のスタブの電気長を９０度以下とし、共振回路がコレクタ側スタブに分布結合する箇所からバイポーラトランジスタのコレクタ端子までの電気長を９０度以下として構成される。この構成より、バイポーラトランジスタのベース側及びコレクタ側が容量性、エミッタ側が誘導性となり、発振条件を満足しかつ小型にプッシュプッシュ発振器を構成できる作用を有する。
【手続補正９】
【補正対象書類名】明細書
【補正対象項目名】００１３
【補正方法】変更
【補正の内容】
【００１３】
上記プッシュプッシュ発振器は、バラクタダイオードの両端に同じ値を有する容量を接続して構成した可変容量部と、前記バラクタダイオードの両端に接続され両端子間の電圧を変化させるバラクタバイアス回路を具備し、前記可変容量部を第１と第２の発振器を構成するスタブ上の同じ位置間に接続するという構成をとる。この構成により、バラクタバイアス回路によりバラクタダイオードの容量値を変化させることにより、発振器全体の発振条件が変化し、発振周波数を電圧制御する作用を有する。また、この構成により、回路全体の対象性を維持するよう可変容量部を接続することから、プッシュプッシュ発振器として動作する。
【手続補正１０】
【補正対象書類名】明細書
【補正対象項目名】００１４
【補正方法】変更
【補正の内容】
【００１４】
上記プッシュプッシュ発振器は、出力用結合容量をエミッタ側スタブに分布結合する線路に置き換えた構成をとる。本発明のプッシュプッシュ発振器から基本波が抑圧され２倍高調波が増強された発振信号を取り出す具体的回路を示したものである。また、この構成により、パターン回路のみの構成で、発振器自体に影響を与えずに出力が取り出せるという作用がある。
【手続補正１１】
【補正対象書類名】明細書
【補正対象項目名】００１５
【補正方法】変更
【補正の内容】
【００１５】
上記プッシュプッシュ発振器は、バイポーラトランジスタを電界効果トランジスタに、ベースをゲートに、コレクタをドレインに、エミッタをソースにそれぞれ置き換える構成をとる。この構成により、負性抵抗を実現する能動素子として電界効果型トランジスタを用いても同様にプッシュプッシュ発振器が構成可能である。
【手続補正１２】
【補正対象書類名】明細書
【補正対象項目名】００１６
【補正方法】変更
【補正の内容】
【００１６】
上記プッシュプッシュ発振器は、トリプレート構造を有した多層基板を具備し、バイポーラトランジスタを前記多層基板の表層に実装し、スタブ及び共振回路を前記トリプレート構造内に実装するという構成をとる。この構成により、本発明のプッシュプッシュ発振器を小型に構成できる作用を有する。
【手続補正１３】
【補正対象書類名】明細書
【補正対象項目名】００１７
【補正方法】変更
【補正の内容】
【００１７】
上記プッシュプッシュ発振器は、マイクロ波モノリシック集積回路上に形成する構成をとる。本発明のプッシュプッシュ発振器の具体的な実装形態を示したものである。